(57)【要約】【課題】写真プリントシステムにおいて、プリント処理の遅延を可及的に回避しながら、すでに入力操作の完了した写真プリント作製条件の修正を可能とする。【解決手段】複数駒単位で順次に縮小画像をモニタ４ａへ表示して、写真プリント作製条件の入力操作を受付ける写真プリントシステムにおいて、写真プリント作製条件の入力操作が完了した画像についてのプリント開始を設定条件に従って遅延させる状態で、後続の写真プリント作製条件の入力操作の受付けの間に先行分の画像のプリント処理を開始させる。【選択図】図１
2007259361.tif 000002
【特許請求の範囲】
【請求項１】
入力されるプリント実行指令に従って写真プリント作製対象の画像をプリント処理する写真プリント装置と、画像データが取込まれた写真プリント作製対象の画像についての写真プリント作製条件の入力操作を受付けて、前記写真プリント装置へ前記プリント実行指令を送信するプリント条件設定装置とが設けられ、
前記プリント条件設定装置に、モニタと、前記写真プリント作製条件の入力操作の受付けを制御する制御装置とが備えられ、
前記制御装置は、前記モニタに、写真プリント作製対象の画像の縮小画像を、１画面について複数個分表示させると共に、その表示させている縮小画像に対応する画像についての前記写真プリント作製条件の入力操作を受付けて、前記モニタに同時に表示される１画面分の縮小画像に対応する複数個の画像を単位として、それらの複数個の画像毎に前記写真プリント装置へ前記プリント実行指令を送信し、前記プリント実行指令の送信が完了した画像についての写真プリント作製のための情報を消去するように構成されている写真プリントシステムであって、
前記制御装置は、
画像データが取込まれた写真プリント作製対象の画像を、前記モニタの１画面に同時に表示する複数個単位で区分して、前記モニタへの前記縮小画像の表示及び前記写真プリント作製条件の入力操作の受付けを前記区分毎に順次に繰り返す過程において、
前記モニタに表示されている複数個の縮小画像に対応する画像についての前記写真プリント作製条件の入力操作が完了したことを示す入力操作があったときに、そのときに前記モニタに表示されている複数個の縮小画像に対応する画像についての前記写真プリント作製条件のデータを記憶装置に記憶保持し、
前記写真プリント作製条件の入力操作が完了した画像についての前記プリント実行指令が設定条件に従って遅延して送信される状態で、後続の前記区分の前記写真プリント作製条件の入力操作の受付けの間に先行の前記区分について前記プリント実行指令の送信を実行するように構成され、
前記モニタに表示されている複数個の縮小画像に対応する画像よりも前の画面で前記写真プリント作製条件の入力操作を行った画像についての前記写真プリント作製条件の再入力を要求する入力操作があったときに、前記再入力の要求のあった画像について前記縮小画像のモニタ表示及び前記写真プリント作製条件の入力操作の受付けを前記区分を単位として行うように構成されている写真プリントシステム。
【請求項２】
前記制御装置は、前記設定条件で前記プリント実行指令の送信を遅延させる動作として、前記モニタに表示されている複数個の縮小画像に対応する画像についての前記写真プリント作製条件の入力操作が完了したことを示す入力操作があったときに、前記モニタに表示されている複数個の縮小画像についての画像よりも設定画面数分だけ前の画面に縮小画像が表示され且つ前記写真プリント作製条件が入力操作された画像についての前記プリント実行指令を前記写真プリント装置へ送信する動作を行うように構成されている請求項１記載の写真プリントシステム。
【請求項３】
前記制御装置は、前記モニタに表示されている複数個の縮小画像に対応する画像についての前記写真プリント作製条件の入力操作が完了したことを示す入力操作があったときに、そのときに前記モニタに表示されている複数個の縮小画像に対応する画像が１つのオーダの最後の区分の画像であるときは、前記モニタに、１つのオーダについての前記写真プリント作製条件の入力操作が完了したことを示す最終画面表示を行い、
その最終画面表示を行っている状態で、そのオーダについての前記写真プリント作製条件の入力操作の完了を確認する旨の入力操作があったときに、その時点で前記プリント実行指令が送信されておらず且つ前記記憶装置に前記写真プリント作製条件のデータが記憶保持されている画像について、前記プリント実行指令を前記写真プリント装置へ送信し、
既に前記写真プリント作製条件の入力操作を行った画像についての前記写真プリント作製条件の再入力を要求する入力操作があったときに、前記再入力の要求のあった画像について前記縮小画像のモニタ表示及び前記写真プリント作製条件の入力操作の受付けを前記区分を単位として行うように構成されている請求項１又は２記載の写真プリントシステム。
【発明の詳細な説明】
【技術分野】
【０００１】
本発明は、入力されるプリント実行指令に従って写真プリント作製対象の画像をプリント処理する写真プリント装置と、画像データが取込まれた写真プリント作製対象の画像についての写真プリント作製条件の入力操作を受付けて、前記写真プリント装置へ前記プリント実行指令を送信するプリント条件設定装置とが設けられ、前記プリント条件設定装置に、モニタと、前記写真プリント作製条件の入力操作の受付けを制御する制御装置とが備えられ、前記制御装置は、前記モニタに、写真プリント作製対象の画像の縮小画像を、１画面について複数個分表示させると共に、その表示させている縮小画像に対応する画像についての前記写真プリント作製条件の入力操作を受付けて、前記モニタに同時に表示される１画面分の縮小画像に対応する複数個の画像を単位として、それらの複数個の画像毎に前記写真プリント装置へ前記プリント実行指令を送信し、前記プリント実行指令の送信が完了した画像についての写真プリント作製のための情報を消去するように構成されている写真プリントシステムに関する。
【背景技術】
【０００２】
かかる写真プリントシステムでは、写真プリントを作製する処理の流れとして、例えば写真フィルムの画像をフィルムスキャナにて読み込んだり、あるいは、デジタルカメラの撮影画像を記録した記憶媒体の画像データを読み込む等して、写真プリント作製対象の画像の画像データを取り込み、その取込んだ画像について、オペレータ等による写真プリント作製条件の入力操作を受付け、その受付けた条件で、写真プリント装置にプリント処理させる。
この写真プリント作製条件の入力操作については、下記特許文献１にも記載のように、その入力操作を補助するために、モニタに複数の縮小画像を表示させて、それらの縮小画像に対応する画像についての前記写真プリント作製条件を入力操作できるように構成している。尚、下記特許文献１では、写真プリント作製条件として、画像の色補正の条件と写真プリントの作製枚数とを示している。
【０００３】
上記のモニタ画面に縮小画像を表示させて前記写真プリント作製条件を入力操作する形式では、取込んだ画像を、モニタの１画面に同時に表示する複数個で区分して、モニタへの縮小画像の表示及び前記写真プリント作製条件の入力操作の受付けを前記区分毎に順次に繰り返す過程を経ることになる。
従来、１画面に表示されている縮小画像に対応する画像について前記写真プリント作製条件の入力操作が完了したことを示す入力操作があると、その１画面に表示されている縮小画像についての画像のプリント処理が直ちに開始されるようになっていた。
【特許文献１】特開平０７−００５５９３号公報
【発明の開示】
【発明が解決しようとする課題】
【０００４】
しかしながら、上記従来構成では、モニタの１画面分に表示されている縮小画像に対応する画像についての前記写真プリント作製条件の入力操作を完了してしまうと、その入力操作が完了した画像についてプリント処理に移行してしまうため、入力操作を完了した後になって何らかの修正入力を行いたいと思っても、プリント処理が開始されてしまったものについては何もすることができない。
どうしても修正する必要があるものならば、再度画像の取り込みからやり直す必要があった。
本発明は、かかる実情に鑑みてなされたものであって、その目的は、プリント処理の遅延を可及的に回避しながら、すでに入力操作の完了した写真プリント作製条件の修正を可能とする点にある。
【課題を解決するための手段】
【０００５】
本出願の第１の発明は、入力されるプリント実行指令に従って写真プリント作製対象の画像をプリント処理する写真プリント装置と、画像データが取込まれた写真プリント作製対象の画像についての写真プリント作製条件の入力操作を受付けて、前記写真プリント装置へ前記プリント実行指令を送信するプリント条件設定装置とが設けられ、前記プリント条件設定装置に、モニタと、前記写真プリント作製条件の入力操作の受付けを制御する制御装置とが備えられ、前記制御装置は、前記モニタに、写真プリント作製対象の画像の縮小画像を、１画面について複数個分表示させると共に、その表示させている縮小画像に対応する画像についての前記写真プリント作製条件の入力操作を受付けて、前記モニタに同時に表示される１画面分の縮小画像に対応する複数個の画像を単位として、それらの複数個の画像毎に前記写真プリント装置へ前記プリント実行指令を送信し、前記プリント実行指令の送信が完了した画像についての写真プリント作製のための情報を消去するように構成されている写真プリントシステムにおいて、前記制御装置は、画像データが取込まれた写真プリント作製対象の画像を、前記モニタの１画面に同時に表示する複数個単位で区分して、前記モニタへの前記縮小画像の表示及び前記写真プリント作製条件の入力操作の受付けを前記区分毎に順次に繰り返す過程において、前記モニタに表示されている複数個の縮小画像に対応する画像についての前記写真プリント作製条件の入力操作が完了したことを示す入力操作があったときに、そのときに前記モニタに表示されている複数個の縮小画像に対応する画像についての前記写真プリント作製条件のデータを記憶装置に記憶保持し、前記写真プリント作製条件の入力操作が完了した画像についての前記プリント実行指令が設定条件に従って遅延して送信される状態で、後続の前記区分の前記写真プリント作製条件の入力操作の受付けの間に先行の前記区分について前記プリント実行指令の送信を実行するように構成され、前記モニタに表示されている複数個の縮小画像に対応する画像よりも前の画面で前記写真プリント作製条件の入力操作を行った画像についての前記写真プリント作製条件の再入力を要求する入力操作があったときに、前記再入力の要求のあった画像について前記縮小画像のモニタ表示及び前記写真プリント作製条件の入力操作の受付けを前記区分を単位として行うように構成されている。
【０００６】
すなわち、取込んだ写真プリント作製対象の画像について、複数個の縮小画像をモニタ表示させながら、それらの縮小画像に対応する画像についての写真プリント作製条件を入力操作する作業を、モニタ画面に表示される縮小画像を順次に切換えながら繰り返す場合において、ある画面で表示されている縮小画像に対応する画像の前記写真プリント作製条件の入力操作が完了して、その完了を示す入力操作を行ったとしても、そのときモニタ画面に表示されている複数個の縮小画像に対応する画像についてプリント処理が開始されるわけではなく、プリント処理を開始させるプリント実行指令は設定条件に従って遅延して出力される。
【０００７】
記憶装置に記憶した前記写真プリント作製条件の情報を含む写真プリント作製のための情報は、プリント実行指令が送信されるまで消去されずに記憶保持されるので、一旦入力操作が完了した前記写真プリント作製条件を修正したいと思ったときは、その旨を入力操作することで、再度縮小画像をモニタに表示させて、入力済みの前記写真プリント作製条件の修正入力を行うことができる。
このとき、前記写真プリント作製条件の入力操作を遡れるのは、前記プリント実行指令を遅延させる間の分だけであるので、例えば、１オーダの画像の全てについて前記写真プリント作製条件の入力操作が完了してから、そのオーダのプリント処理が開始されるような構成に比べて、プリント処理の遅延を可及的に抑制できることになっている。
【０００８】
又、本出願の第２の発明は、上記第１の発明の構成に加えて、前記制御装置は、前記設定条件で前記プリント実行指令の送信を遅延させる動作として、前記モニタに表示されている複数個の縮小画像に対応する画像についての前記写真プリント作製条件の入力操作が完了したことを示す入力操作があったときに、前記モニタに表示されている複数個の縮小画像についての画像よりも設定画面数分だけ前の画面に縮小画像が表示され且つ前記写真プリント作製条件が入力操作された画像についての前記プリント実行指令を前記写真プリント装置へ送信する動作を行うように構成されている。
【０００９】
すなわち、前記写真プリント作製条件の入力操作が完了した画像について、どのようにして前記プリント実行指令の送信を遅延させるかについて、後続の区分の画像についての前記写真プリント作製条件の入力操作を完了したことを示す入力操作と連動する状態で遅延させているので、オペレータが、どれだけ前に遡って前記写真プリント作製条件の再入力が可能であるかを把握し易くなる。
更に、写真プリント作製条件の入力操作の完了を指示する入力操作が、過去の画面で写真プリント作製条件を入力した画像についてのプリント実行指令の送信を指示する入力操作にもなっているので、オペレータの操作を簡略化して操作性の向上を図れる。
【００１０】
又、本出願の第３の発明は、上記第１又は第２の発明の構成に加えて、前記制御装置は、前記モニタに表示されている複数個の縮小画像に対応する画像についての前記写真プリント作製条件の入力操作が完了したことを示す入力操作があったときに、そのときに前記モニタに表示されている複数個の縮小画像に対応する画像が１つのオーダの最後の区分の画像であるときは、前記モニタに、１つのオーダについての前記写真プリント作製条件の入力操作が完了したことを示す最終画面表示を行い、その最終画面表示を行っている状態で、そのオーダについての前記写真プリント作製条件の入力操作の完了を確認する旨の入力操作があったときに、その時点で前記プリント実行指令が送信されておらず且つ前記記憶装置に前記写真プリント作製条件のデータが記憶保持されている画像について、前記プリント実行指令を前記写真プリント装置へ送信し、既に前記写真プリント作製条件の入力操作を行った画像についての前記写真プリント作製条件の再入力を要求する入力操作があったときに、前記再入力の要求のあった画像について前記縮小画像のモニタ表示及び前記写真プリント作製条件の入力操作の受付けを前記区分を単位として行うように構成されている。
【００１１】
すなわち、写真プリントの作製業務においては、顧客からのプリント注文の受注単位であるオーダによって、プリント注文を受けた画像の管理を行う。このオーダは、具体的には、例えば写真フィルム１本あるいは撮影画像を記録した記憶媒体１個が１オーダとして取り扱われる。
このような管理を行っている状況下で、複数のオーダについて連続して写真プリントの作製作業を行う場合、２つのオーダの継ぎ目付近においても、オーダを区別することなく、取込まれた写真プリント作製対象の画像を、モニタの１画面に同時に表示する複数個で区分して、モニタへの縮小画像の表示及び前記写真プリント作製条件の入力操作の受付けを前記区分毎に順次に繰り返す処理を継続しても良いが、オーダの継ぎ目で前記最終画面表示をモニタ表示させることで、オペレータにオーダを管理するための区切りであることを認知させることができる。
更に、前記プリント実行指令の送信についても、この最終画面表示での入力操作を利用する形で実行することで、１つのオーダの区切りを明確にできる。
又、このオーダの区切りを示す前記最終画面表示を表示している状態においても、記憶装置に写真プリント作製条件のデータが残っていれば、それの修正入力を可能としている。
【発明の効果】
【００１２】
上記第１の発明によれば、一旦入力操作が完了した前記写真プリント作製条件を修正したいと思ったときは、その旨を入力操作することで、再度縮小画像をモニタに表示させて、入力済みの前記写真プリント作製条件の修正入力を行うことができ、しかも、それに伴うプリント処理の遅延を可及的に抑制できる。
又、上記第２の発明によれば、前記写真プリント作製条件を入力操作するオペレータは、どれだけ前に遡って前記写真プリント作製条件の再入力が可能であるかを容易に把握できるので、入力作業を効率良く行うことができ、しかも、操作性を向上できる。
又、上記第３の発明によれば、前記写真プリント作製条件の入力作業を行っているオペレータは、１つのオーダについての処理の終端を的確に把握でき、プリント処理への移行も１つのオーダの終了と連動するので、オーダ単位で写真プリント作製作業を管理する場合の作業性を向上させることができる。
【発明を実施するための最良の形態】
【００１３】
以下、本発明の写真プリントシステムを図面に基づいて説明する。
本実施の形態で例示する写真プリントシステムＤＰは、いわゆるデジタルミニラボ機として知られているシステムであり、図２に示すように、入力された画像データに基づいて写真プリントを出力処理する写真プリント装置ＥＰと、画像が撮影された写真フィルムや画像データが記録された各種の記憶媒体から画像データを取込んで写真プリント装置ＥＰへ送るための画像データを生成する画像入力装置ＩＲとを主要部として構成されている。
【００１４】
〔画像入力装置ＩＲの概略構成〕
画像入力装置ＩＲには、図２に概略的に示すように、写真フィルムの画像を読取って画像データとして出力するフィルムスキャナ３と、パーソナルコンピュータにて構成される主制御装置４と、写真プリント装置ＥＰにて良好な写真プリントが得られるように入力された画像データを画像処理する画像処理装置５とが備えられ、主制御装置４には、仕上がりプリント画像をシミュレートしたシミュレート画像や各種の制御用の情報を表示するモニタ４ａと、操作卓４ｂと、マウス４ｃと、メモーリカードやＣＤ−Ｒ等の各種の媒体から画像データを読込むための読取り装置４ｄとが接続されている。
【００１５】
〔画像処理装置５の概略構成〕
画像処理装置５は、フィルムスキャナ３から入力された画像データや主制御装置４を経て読取り装置４ｄから入力された画像データを画像処理して写真プリント装置ＥＰをプリント動作させるための画像データを生成する。
画像処理装置５には、図１に示すように、画像データを一時的に記憶保持する入力バッファメモリ２１と、入力バッファメモリ２１から読み込んだ画像データに対して色補正等の画像処理を実行する補正処理回路２２と、補正処理回路２２にて画像処理が完了した画像データを一時的に記憶保持する出力バッファメモリ２３と、入力バッファメモリ２１に記憶されている画像の縮小画像を生成する縮小画像生成回路２４とが備えられる他、フィルムスキャナ３から送られてきた画像データを受け取るための送受信インターフェース２６、及び、主制御装置４とデータ通信を行うための送受信インターフェース２７が備えられている。
主制御装置４側では、送受信インターフェース２７と通信するために、通信用拡張基板３１が主制御装置４の本体基板３２に取り付けられている。
通信用拡張基板３１上には、画像処理装置５側の送受信インターフェース２７とデータ通信するための送受信インターフェース４１と、送受信インターフェース４１を介して入力された画像データを記憶する画像データ受信用の受信メモリ４２とが備えられている。
【００１６】
〔写真プリント装置ＥＰの全体構成〕
写真プリント装置ＥＰは、図２に示すように、筐体内部に、画像形成装置ＥＸと、画像形成装置ＥＸにて画像が露光形成された印画紙２を現像処理する現像処理装置ＰＰと、筐体上部側に設置された印画紙マガジン６から引き出された印画紙２を多数の搬送ローラ９等にて現像処理装置ＰＰへ搬送する印画紙搬送系ＰＴとが設けられている。
図示を省略するが、写真プリント装置ＥＰの筐体外部には、現像処理装置ＰＰにて現像処理及び乾燥処理された印画紙２をオーダ毎に分類するためのソータが備えられており、現像処理装置ＰＰから排出された印画紙２をそのソータへ搬送するためにコンベア８が配置されている。
更に、印画紙搬送系ＰＴの搬送経路の途中には、印画紙マガジン６から引き出された長尺の印画紙２を設定プリントサイズに切断するカッタ１０が備えられている。
【００１７】
〔画像形成装置ＥＸの構成〕
画像形成装置ＥＸは、印画紙２上に露光画像を形成する画像形成ヘッド１３と、画像形成ヘッド１３を制御する露光制御装置１４とを主要部として構成されている。
画像形成ヘッド１３は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
画像形成ヘッド１３から出射されるレーザビームは、露光制御装置１４の制御によって、画像処理装置５から入力された補正処理後の画像データに基づいて強度変調されている。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００１８】
〔基本的なプリント動作〕
上記構成の写真プリントシステムＤＰによる基本的なプリント動作を概説する。
写真フィルムから写真プリントを作製するときは、オペレータがフィルムスキャナ３に写真フィルムをセットすると、写真フィルムの駒画像が読取られて画像処理装置５の入力バッファメモリ２１へ順次に書込まれる。
一方、各種の記憶媒体から写真プリントを作製するときは、プリント対象の画像データが記録された記憶媒体が読取り装置４ｄにセットされると、記憶媒体の記録画像データの読取りが開始され、読取られた画像データは、主制御装置４を経て画像処理装置５の入力バッファメモリ２１へ順次に書込まれる。
１本の写真フィルムからの取込み画像データ、及び、１つの記憶媒体からの取込み画像データは、１オーダとしてまとめて管理される。
【００１９】
画像入力装置ＩＲはモニタ４ａや操作卓４ｂ等を備えており、これらを利用して、上記のようにして画像データが取込まれた写真プリント作製対象の画像について、写真プリント作製条件を入力操作する機能を備えており、プリント条件設定装置ＰＣとして機能する。
この写真プリント作製条件は、本実施の形態では、画像処理装置５による画像の色補正条件と写真プリント作製枚数とを例示して説明する。
この写真プリント作製条件の入力操作の受付けを制御する制御装置ＲＣは主制御装置４であり、主制御装置４は、図３及び図４のフローチャートに示すプリント条件設定処理を実行して、その機能を果たす。
【００２０】
主制御装置４は、画像処理装置５の入力バッファメモリ２１に取込んだ画像の画像データが入力されると図３及び図４に示すプリント条件設定処理を開始する。
先ず、画像処理装置５に対して、入力バッファメモリ２１に画像データが記憶された画像の縮小画像の送信を要求する（ステップ＃１）。
後述のモニタ４ａの画面上の表示形態との関係で、この縮小画像の送信要求は、オーダ内の画像の並び順に従って、６駒分の画像の縮小画像の送信を要求するものとなっており、画像処理装置５は、この送信要求に対して、オーダの先頭から、複数個区切り（本実施の形態では６駒区切り）で区分して、１回の縮小画像の送信要求に対して１つの区分の複数個（６個）の画像について縮小画像を生成して主制御装置４へ出力し、縮小画像の送信要求を受け取るたびに、その操作を繰り返して行く。
【００２１】
主制御装置４は、縮小画像生成回路２４にて生成された縮小画像を受け取ると（ステップ＃２）、その受け取った６駒の縮小画像を使用して、図５に例示する写真プリント作製条件入力用画面をモニタ４ａへ表示し（ステップ＃３）、縮小画像が表示されている写真プリント作製対象の画像についての写真プリント作製条件の入力操作を受付ける。
この写真プリント作製条件入力用画面は、画像処理装置５から受け取った写真プリント作製対象の画像の縮小画像を複数個分（本実施の形態では、６個分）表示させるものであり、６個の縮小画像を表示する縮小画像表示エリアＳ１〜Ｓ６を有している。
更に、その他に、表示されている縮小画像に対応する画像（縮小画像の原画像）の色補正条件を入力するための色補正指示欄５１と、表示されている縮小画像に対応する画像の写真プリント作製枚数を入力するためのプリント枚数入力欄５２とが、各縮小画像表示エリアＳ１〜Ｓ６の夫々に対応して備えられて、写真プリント作製条件の入力操作を受付けるようになっている。
また、この写真プリント作製条件入力用画面に表示されている６個の縮小画像に対応する画像についての写真プリント作製条件の入力操作（色補正指示欄５１及びプリント枚数入力欄５２への入力操作）が完了したことを入力操作するための「決定」ボタン表示５３と、詳しくは後述するが、この写真プリント作製条件入力用画面に表示されている６個の縮小画像に対応する画像よりも前の画面で写真プリント作製条件の入力操作を行った画像についての写真プリント作製条件の再入力を要求する入力操作を行うための「戻る」ボタン表示５４とが表示される他、各種の情報を表示する情報表示欄５５が表示される。
【００２２】
モニタ４ａに図５の画面表示を行っている状態で、色補正指示欄５１の入力値が操作卓４ｂからの入力操作によって変更されると（ステップ＃４）、変更入力された色補正指示欄５１に対応する縮小画像に対して、変更後の新しい色補正値で画像補正を実行し、対応する縮小画像表示エリアＳ１〜Ｓ６の縮小画像を更新する。
この操作を行うために、主制御装置４には、画像処理装置５と同等の画像処理を実行する機能がソフトウェアとして実装されている。
【００２３】
オペレータが、モニタ４ａの画面上の図５に示す画面表示を観察しながら、適宜に色補正指示欄５１やプリント枚数入力欄５２へ入力操作を行って、モニタ４ａに表示されている６駒の画像についての写真プリント作製条件の入力操作を完了したとき、その完了を示す入力操作として「決定」ボタン表示５３をマウス４ｃにて操作すると（ステップ＃９）、そのときモニタ４ａに表示されている６個の縮小画像に対応する画像について入力されている色補正指示欄５１の入力値及びプリント枚数入力欄５２の入力値（すなわち、写真プリント作製条件のデータ）を主制御装置４に備えられているメモリあるいはハードディスク装置で構成される記憶装置３３に記憶保持する（ステップ＃１０）。更に、各縮小画像も併せて記憶装置３３に記憶保持する。
【００２４】
次ぎに、写真プリント作製条件の入力操作が完了した画像について、プリント処理を実行させるための指示を行うのであるが、この時点でその対象となるのは、たった今写真プリント作製条件の入力操作を完了した画面に表示されている６個の縮小画像に対応する画像についてのものではなく、１つ前の画面で写真プリント作製条件の入力操作が完了した６駒の画像である。
従って、１つ前の画面で写真プリント作製条件の入力操作を完了した画像が存在するかどうか確認して（ステップ＃１１）、そのような画像が存在すれば、その６駒の画像についてプリント処理を開始させるための指示を画像処理装置５へ送信する（ステップ＃１２）。
プリント処理の開始を指示した６駒の画像については、もう写真プリントを作製するための情報を保持しておく必要はないので、それらの情報は、プリント処理の開始の指示に伴って消去される。ここでは、記憶装置３３に記憶保持されている写真プリント作製条件のデータや縮小画像の画像データ等が消去される。
【００２５】
例えば、たった今写真プリント作製条件の入力操作が完了した６駒の画像が処理中のオーダの先頭の６駒であれば、そのオーダについての前の画面というものは存在しないので、プリント処理の開始は指示されず、たった今写真プリント作製条件の入力操作が完了した６駒の画像が、処理中のオーダの先頭から７駒目〜１２駒目の６駒であれば、そのオーダの先頭の６駒の画像についての写真プリント作製条件のデータが記憶装置３３に記憶保持されているので、その先頭の６駒についてプリント処理の開始が指示される。
主制御装置４から画像処理装置５へ送信されるプリント処理の開始の指示には、何れの６駒の画像を対象とするかを特定する情報と、その６駒の画像夫々についての前記写真プリント作製情報とが含められる。
【００２６】
画像処理装置５は、この写真プリント作製条件に含まれる色補正条件の情報を取り出し、該当する画像を入力バッファメモリ２１から読出して補正処理回路２２にてその色補正条件で補正処理させ、補正処理が完了して出力バッファメモリ２３に書込まれた画像データを、写真プリント作製枚数の情報等と共に順次に写真プリント装置ＥＰの露光制御装置１４へ送信して行く。
補正処理回路２２へ送られた画像データが記憶されていた記憶エリアは、新規の画像データを受入れ可能なエリアとして解放され、実質的に画像データが消去されたことになる。
画像処理装置５から写真プリント装置ＥＰへ写真プリント作製対象の画像の画像データとそれに関連するデータが送られると、写真プリント装置ＥＰの露光制御装置１４は、それらのデータをプリント実行指令として受取り、受け取ったデータに従って写真プリント作製対象の画像についてのプリント処理を開始する。
従って、このプリント実行指令は、実質的に、上記のステップ＃１２（後述のステップ＃１９も同様）において、主制御装置４にて発行され、画像処理装置５を経由して、写真プリント装置ＥＰへ送られたことになる。
【００２７】
以上のように、たった今写真プリント作製条件の入力操作が完了した６駒の画像については、入力された写真プリント作製条件のデータを記憶装置３３に記憶保持して待機させる状態として、その写真プリント作製条件の入力操作が完了した画像が処理中のオーダの終端の駒画像でないことを確認した後（ステップ＃１３）、そのオーダの次ぎの６駒の画像についての縮小画像の送信を画像処理装置５に要求する処理（ステップ＃１）から繰り返す。
すなわち、主制御装置４は、モニタ４ａに同時に表示される１画面分の縮小画像に対応する複数個（本実施形態では６個）の画像（縮小画像の原画像）を単位として、それらの複数個の画像毎に、写真プリント装置ＥＰへのプリント実行指令を送信しており、又、取込まれた写真プリント作製対象の画像を、モニタ４ａの１画面に同時に表示する複数個（本実施の形態では、６個）で区分して、前記写真プリント作製条件入力用画面の表示によるモニタ４ａへの縮小画像の表示及び写真プリント作製条件の入力操作の受付けを前記区分毎にオーダ内の画像の並び順に従って順次に繰り返している。
【００２８】
この繰り返しの過程において、上記のように、モニタ４ａに表示されている複数個（本実施形態では６個）の縮小画像に対応する画像についての写真プリント作製条件の入力操作が完了したことを示す入力操作（「決定」ボタン表示５３の操作）があったときに、モニタ４ａに表示されている複数個の縮小画像に対応する画像よりも設定画面数分（本実施の形態では１画面分）だけ前の画面に縮小画像が表示され且つ写真プリント作製条件が入力操作された画像についてのプリント実行指令を写真プリント装置ＥＰへ送信する、という条件で、写真プリント作製条件の入力操作が完了した画像についてのプリント実行指令の送信を遅延させながら、後続の区分の写真プリント作製条件の入力操作の受付けの間に先行の区分についてプリント実行指令が送信されるという実行形態となっている。
【００２９】
このように繰り返して処理することで、図５に示す画面表示がモニタ４ａに表示されている状態では、オーダの先頭の６駒について写真プリント作製条件の入力操作を受付けている状態を除いて、１つ前の画面で（すなわち、１区分前の写真プリント作製条件入力用画面）写真プリント作製条件の入力操作が完了した画像についての情報が記憶装置３３に残されており、しかもその画像の画像データについては、プリント処理が実行されずに入力バッファメモリ２１に保持されている。
このため、図５に示す画面表示において、既に写真プリント作製条件の入力操作が完了した１つ前の画面（１区分前の写真プリント作製条件入力用画面）に戻って、写真プリント作製条件の入力操作をやり直すことができ、図５の画面表示において、写真プリント作製条件の再入力を要求するための「戻る」ボタン表示５４がマウス４ｃにて操作されると（ステップ＃６）、再入力の要求のあった１つ前の画面についてのデータが記憶装置３３に存在することを確認して（ステップ＃７）、すなわち、オーダの先頭の６駒の画像についての処理中でないことと、既に１度「戻る」ボタン表示５４を操作して戻っている状態でないことを確認して、記憶装置３３から読出した情報によって、縮小画像のモニタ表示を含む１つ前の画面を構成してモニタ４ａに表示し（ステップ＃８）、それらについての写真プリント作製条件の入力操作を受付ける状態とする。
このように、写真プリント作製条件の再入力も、前記区分を単位として、すなわち、画面単位で実行される。
又、記憶装置３３の情報を読出して１つ前の画面を構成するので、１つ前の画面で「決定」ボタン表示５３が操作された時点の画面表示が再現されることになる。
【００３０】
以上のようにして、適宜に「戻る」ボタン表示５４を操作しながら、モニタ４ａの画面上からの写真プリント作製条件の入力操作を繰り返して作業を進行し、処理中のオーダの最後の区分の画像についての写真プリント作製条件の入力操作が完了して「決定」ボタン表示５３が操作されたときは（ステップ＃９）、たった今入力操作の完了した写真プリント作製条件のデータを記憶装置３３に記憶保持させ（ステップ＃１０）、上記と同様にして１つ前の画面において写真プリント作製条件の入力操作が完了している画像についてプリント処理の開始を指示する（ステップ＃１２）。
このときは、オーダの終端の画像（すなわち、オーダの最後の区分の画像）について写真プリント作製条件の入力操作が完了したところであるので（ステップ＃１３）、図６に示す、１つのオーダについての写真プリント作製条件の入力操作が完了したことを示す最終画面表示をモニタ４ａに表示させる（ステップ＃１４）。
図６の最終画面表示においても、「決定」ボタン表示５３と「戻る」ボタン表示５４とが表示され、写真プリント作製条件の再入力を要求する「戻る」ボタン表示５４がマウス４ｃにて操作されたときは（ステップ＃１５）、再入力の要求のあった前の画面、すなわち、そのオーダの最後の区分の画像について写真プリント作製条件を入力していた画面を再現して、縮小画像のモニタ表示及び写真プリント作製条件の入力操作の受付けを行う（ステップ＃１６，ステップ＃１７）。この場合も、前記区分を単位として（すなわち、画面を単位として）統一的に取り扱われているのである。
【００３１】
一方、図６の最終画面表示にて「決定」ボタン表示５３が操作されたときには（ステップ＃１８）、その操作は、そのオーダについての写真プリント作製条件の入力操作の完了を確認する旨の入力操作であり、処理中のオーダに属する画像であって、その時点でプリント実行指令が送信されておらず且つ記憶装置３３に写真プリント作製条件が記憶保持されている全て画像についてプリント実行指令が送信される（ステップ＃１９）。
プリント処理の開始の指示に伴う動作は、上記のステップ＃１２による動作と同様である。
この後、更に後続のオーダの処理が待機しているときは（ステップ＃２０）、その後続のオーダについてステップ＃１から処理を開始し、処理すべき後続のオーダが存在しないときは、処理を終了する。
【００３２】
〔別実施形態〕
以下、本発明の別実施形態を列記する。
（１）上記実施の形態では、前記写真プリント作製条件入力用画面の１つの画面中に表示する縮小画像の個数によって区分する際に、１つの区分を６個の画像によって構成する場合を例示しているが、５個以下でも良いし、７個以上でも良い。
（２）上記実施の形態では、写真プリント作製条件の入力操作が完了したことを示す入力操作があったときに、１つ前の画面（すなわち、１つ前の区分）についてプリント実行指令を送信する場合を例示しているが、２つ以上前の画面（すなわち、２つ以上前の区分）の画像についてプリント実行指令を送信するように構成しても良い。
（３）上記実施の形態では、写真プリント作製条件の入力操作が完了した画像について、プリント実行指令の送信を遅延させる条件として、後続の１画面分についての写真プリント作製条件の入力操作が完了することを条件としているが、写真プリント作製条件の入力操作が完了した後、設定時間経過後にプリント実行指令が送信されるというような条件での遅延のさせ方でも良い。
（４）上記実施の形態では、写真プリント装置ＥＰとしてレーザビーム走査露光式の画像形成ヘッド１３を備える形式のものを例示しているが、インクジェット式の写真プリント装置等、各種の形式の写真プリント装置を使用することができる。
【図面の簡単な説明】
【００３３】
【図１】本発明の実施の形態にかかる要部ブロック構成図
【図２】本発明の実施の形態にかかる写真プリントシステムの概略構成図
【図３】本発明の実施の形態にかかるフローチャート
【図４】本発明の実施の形態にかかるフローチャート
【図５】本発明の実施の形態にかかるモニタ画面表示例を示す図
【図６】本発明の実施の形態にかかるモニタ画面表示例を示す図
【符号の説明】
【００３４】
ＥＰ  写真プリント装置
ＰＣ  プリント条件設定装置
ＲＣ  制御装置
４ａ  モニタ
【図１】
2007259361.tif 000003
【図２】
2007259361.tif 000004
【図３】
2007259361.tif 000005
【図４】
2007259361.tif 000006
【図５】
2007259361.tif 000007
【図６】
2007259361.tif 000008